【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
前回のレンジング手順に関連付けられたロケーションから現在のロケーションまでの、デバイスのロケーションの変化を特定するステップと、
前記ロケーションの変化がしきい値距離を超えるかどうかを決定するステップと、
前記ロケーションの変化が前記しきい値距離未満であるという決定に基づいて、後続のスケジュールされたレンジング手順をバイパスするステップと
を含み、
前記レンジング手順が、レンジング手順要求を基地局へ送信するステップと、前記レンジング手順要求に応じたレンジング手順応答を受信するステップとを含む、方法。
【請求項２】
前記ロケーションの変化が前記しきい値距離未満であるという前記決定に基づいて、スケジュールされたレンジング手順間の間隔を延長するステップ
をさらに含む、請求項1に記載の方法。
【請求項３】
前記ロケーションの変化が前記しきい値距離未満であるという前記決定に基づいて、スケジュールされたレンジング手順間の間隔を変更するステップ
をさらに含む、請求項1に記載の方法。
【請求項４】
前記ロケーションの変化が前記しきい値距離を超えるという決定に基づいて、前記後続のスケジュールされたレンジング手順を実行するステップ
をさらに含む、請求項1に記載の方法。
【請求項５】
前記ロケーションの変化が前記しきい値距離未満であるという前記決定に基づいて、前記前回のレンジング手順に関連付けられた前記ロケーションから前記現在のロケーションまでの、前記デバイスの信号品質メトリックの変化を特定するステップと、
前記信号品質メトリックの前記変化がしきい値を超えるかどうかを決定するステップと、
前記信号品質メトリックの前記変化が前記しきい値を超えるという決定に基づいて、前記後続のスケジュールされたレンジング手順を実行するステップと
をさらに含む、請求項1に記載の方法。
【請求項６】
前記信号品質メトリックの前記変化が前記しきい値を超えるという前記決定に基づいて、スケジュールされたレンジング手順間の間隔を縮小するステップ
をさらに含む、請求項5に記載の方法。
【請求項７】
前記信号品質メトリックの前記変化が前記しきい値未満であるという決定に基づいて、スケジュールされたレンジング手順間の間隔を延長するステップ
をさらに含む、請求項5に記載の方法。
【請求項８】
前記信号品質メトリックが、搬送波対雑音比(CNR)または信号対雑音比(SNR)を備える、請求項5に記載の方法。
【請求項９】
前記ロケーションの変化が前記しきい値距離未満であるという前記決定に基づいて、前記前回のレンジング手順に関連付けられた前記ロケーションから前記現在のロケーションまでの、前記デバイスの信号品質メトリックの変化を特定するステップと、
前記信号品質メトリックの前記変化がしきい値を超えるかどうかを決定するステップと、
前記信号品質メトリックの前記変化が前記しきい値未満であるという決定に基づいて、前記後続のスケジュールされたレンジング手順をバイパスするステップと
をさらに含む、請求項1に記載の方法。
【請求項１０】
全地球測位システム(GPS)受信機を介して、前記前回のレンジング手順に関連付けられた前記ロケーションからの前記デバイスの前記ロケーションの変化を特定するステップ
をさらに含む、請求項1に記載の方法。
【請求項１１】
前記ロケーションの変化を決定するために使用されるロケーションベースの信号が入手可能であるかどうかを決定するステップと、
タイマーが満了したかどうかを決定するステップと、
前記ロケーションベースの信号が入手できず、かつ前記タイマーが満了したという決定に基づいて、前記前回のレンジング手順に関連付けられた前記ロケーションから前記現在のロケーションまでの、前記デバイスの信号品質メトリックの変化を特定するステップと、
前記信号品質メトリックの前記変化がしきい値を超えるかどうかを決定するステップと、
前記信号品質メトリックの前記変化が前記しきい値を超えるという決定に基づいて、前記後続のスケジュールされたレンジング手順を実行するステップと
をさらに含む、請求項1に記載の方法。
【請求項１２】
前記デバイスの状態を決定するステップと、
前記デバイスの前記決定された状態に基づいて、スケジュールされたレンジング手順間の間隔を変更するステップと
をさらに含む、請求項1に記載の方法。
【請求項１３】
レンジング手順要求メッセージが送信されるときの、前記デバイスのロケーションを備える、ロケーション情報を記憶するステップと、
前記レンジング手順要求メッセージが送信されるときの、前記デバイスの信号品質メトリック測定情報を備える、信号品質メトリック情報を記憶するステップと
をさらに含む、請求項1に記載の方法。
【請求項１４】
前記レンジング手順が、
レンジング手順要求メッセージを送信するステップと、
レンジング手順応答メッセージを受信するステップと、
前記受信されたレンジング手順応答メッセージに基づいて、少なくとも1つのメトリックを調整するステップと
を含む、請求項1に記載の方法。
【請求項１５】
前記少なくとも1つのメトリックが、送信されるべき信号のタイミング、信号を送信するために使用される送信電力、または、送信されるべき信号の周波数オフセットを備える、請求項14に記載の方法。
【請求項１６】
装置であって、
プロセッサと、
前記プロセッサと電子的に通信しているメモリとを備え、
前記プロセッサが、
前回のレンジング手順に関連付けられたロケーションから現在のロケーションまでの、デバイスのロケーションの変化を特定すること、
前記ロケーションの変化がしきい値距離を超えるかどうかを決定すること、および
前記ロケーションの変化が前記しきい値距離未満であるという決定に基づいて、後続のスケジュールされたレンジング手順をバイパスすること
を行うように構成され、
前記レンジング手順が、レンジング手順要求を基地局へ送信するステップと、前記レンジング手順要求に応じたレンジング手順応答を受信するステップとを含む、装置。
【請求項１７】
前記プロセッサが、
前記ロケーションの変化が前記しきい値距離未満であるという前記決定に基づいて、スケジュールされたレンジング手順間の間隔を延長すること
を行うようにさらに構成される、請求項16に記載の装置。
【請求項１８】
前記プロセッサが、
前記ロケーションの変化が前記しきい値距離未満であるという前記決定に基づいて、スケジュールされたレンジング手順間の間隔を変更すること
を行うようにさらに構成される、請求項16に記載の装置。
【請求項１９】
前記プロセッサが、
前記ロケーションの変化が前記しきい値距離を超えるという決定に基づいて、前記後続のスケジュールされたレンジング手順を実行すること
を行うようにさらに構成される、請求項16に記載の装置。
【請求項２０】
前記プロセッサが、
前記ロケーションの変化が前記しきい値距離未満であるという前記決定に基づいて、前記前回のレンジング手順に関連付けられた前記ロケーションから前記現在のロケーションまでの、前記デバイスの信号品質メトリックの変化を特定すること、
前記信号品質メトリックの前記変化がしきい値を超えるかどうかを決定すること、および
前記信号品質メトリックの変化が前記しきい値を超えるという決定に基づいて、前記後続のスケジュールされたレンジング手順を実行すること
を行うようにさらに構成される、請求項16に記載の装置。
【請求項２１】
前記プロセッサが、
前記信号品質メトリックの変化が前記しきい値を超えるという前記決定に基づいて、スケジュールされたレンジング手順間の間隔を縮小すること
を行うようにさらに構成される、請求項20に記載の装置。
【請求項２２】
前記プロセッサが、
前記信号品質メトリックの前記変化が前記しきい値未満であるという決定に基づいて、スケジュールされたレンジング手順間の間隔を延長すること
を行うようにさらに構成される、請求項20に記載の装置。
【請求項２３】
前記プロセッサが、
前記信号品質メトリックの前記変化が前記しきい値未満であるという決定に基づいて、前記後続のスケジュールされたレンジング手順をバイパスすること
を行うようにさらに構成される、請求項20に記載の装置。
【請求項２４】
前記信号品質メトリックが、搬送波対雑音比(CNR)または信号対雑音比(SNR)を備える、請求項20に記載の装置。
【請求項２５】
前記プロセッサが、
全地球測位システム(GPS)受信機を介して、前記前回のレンジング手順に関連付けられた前記ロケーションからの前記デバイスの前記ロケーションの変化を特定すること
を行うようにさらに構成される、請求項16に記載の装置。
【請求項２６】
前記プロセッサが、
前記ロケーションの変化を決定するために使用されるロケーションベースの信号が入手可能であるかどうかを決定すること、
タイマーが満了したかどうかを決定すること、
前記ロケーションベースの信号が入手できず、かつ前記タイマーが満了したという決定に基づいて、前記前回のレンジング手順に関連付けられた前記ロケーションから前記現在のロケーションまでの、前記デバイスの信号品質メトリックの変化を特定すること、
前記信号品質メトリックの前記変化がしきい値を超えるかどうかを決定すること、および
前記信号品質メトリックの前記変化が前記しきい値を超えるという決定に基づいて、前記後続のスケジュールされたレンジング手順を実行すること
を行うようにさらに構成される、請求項16に記載の装置。
【請求項２７】
前記プロセッサが、
前記デバイスの状態を決定すること、および
前記デバイスの前記決定された状態に基づいて、スケジュールされたレンジング手順間の間隔を変更すること
を行うようにさらに構成される、請求項16に記載の装置。
【請求項２８】
前記プロセッサが、
レンジング手順要求メッセージが送信されるときの、前記デバイスのロケーションを備える、ロケーション情報を記憶すること、および
前記レンジング手順要求メッセージが送信されるときの、前記デバイスの信号品質メトリック測定情報を備える、信号品質メトリック情報を記憶すること
を行うようにさらに構成される、請求項16に記載の装置。
【請求項２９】
ロケーションベースの情報を使用して、レンジング手順を実行するかどうかを決定するためのシステムであって、
前回のレンジング手順に関連付けられたロケーションから現在のロケーションまでの、デバイスのロケーションの変化を特定するための手段と、
前記ロケーションの変化がしきい値距離を超えるかどうかを決定するための手段と、
前記ロケーションの変化が前記しきい値距離未満であるという決定に基づいて、後続のスケジュールされたレンジング手順をバイパスするための手段と
を備え、
前記レンジング手順が、レンジング手順要求を基地局へ送信するステップと、前記レンジング手順要求に応じたレンジング手順応答を受信するステップとを含む、システム。
【請求項３０】
前記システムが、
前記ロケーションの変化が前記しきい値距離未満であるという前記決定に基づいて、スケジュールされたレンジング手順間の間隔を延長するための手段
をさらに備える、請求項29に記載のシステム。
【請求項３１】
前記システムが、
前記ロケーションの変化が前記しきい値距離未満であるという前記決定に基づいて、スケジュールされたレンジング手順間の間隔を変更するための手段
をさらに備える、請求項29に記載のシステム。
【請求項３２】
前記システムが、
前記ロケーションの変化が前記しきい値距離を超えるという決定に基づいて、前記後続のスケジュールされたレンジング手順を実行するための手段
をさらに備える、請求項29に記載のシステム。
【請求項３３】
前記システムが、
前記ロケーションの変化が前記しきい値距離未満であるという前記決定に基づいて、前記前回のレンジング手順に関連付けられた前記ロケーションから前記現在のロケーションまでの、前記デバイスの信号品質メトリックの変化を特定するための手段と、
前記信号品質メトリックの前記変化がしきい値を超えるかどうかを決定するための手段と、
前記信号品質メトリックの前記変化が前記しきい値を超えるという決定に基づいて、前記後続のスケジュールされたレンジング手順を実行するための手段と
をさらに備える、請求項29に記載のシステム。
【請求項３４】
前記システムが、
前記信号品質メトリックの変化が前記しきい値を超えるという前記決定に基づいて、スケジュールされたレンジング手順間の間隔を縮小するための手段
をさらに備える、請求項33に記載のシステム。
【請求項３５】
前記システムが、
前記信号品質メトリックの前記変化が前記しきい値未満であるという決定に基づいて、スケジュールされたレンジング手順間の間隔を延長するための手段
をさらに備える、請求項33に記載のシステム。
【請求項３６】
前記システムが、
前記信号品質メトリックの前記変化が前記しきい値未満であるという決定に基づいて、前記後続のスケジュールされたレンジング手順をバイパスするための手段
をさらに備える、請求項33に記載のシステム。
【請求項３７】
前記ロケーションの変化を決定するために使用されるロケーションベースの信号が入手可能であるかどうかを決定するための手段と、
タイマーが満了したかどうかを決定するための手段と、
前記ロケーションベースの信号が入手できず、かつ前記タイマーが満了したという決定に基づいて、前記前回のレンジング手順に関連付けられた前記ロケーションから前記現在のロケーションまでの、前記デバイスの信号品質メトリックの変化を特定するための手段と、
前記信号品質メトリックの前記変化がしきい値を超えるかどうかを決定するための手段と、
前記信号品質メトリックの前記変化が前記しきい値を超えるという決定に基づいて、前記後続のスケジュールされたレンジング手順を実行するための手段と
をさらに備える、請求項29に記載のシステム。
【請求項３８】
非一時的コンピュータ可読媒体に記憶されたコンピュータプログラムであって、
前回のレンジング手順に関連付けられたロケーションから現在のロケーションまでの、デバイスのロケーションの変化を特定するためのコードと、
前記ロケーションの変化がしきい値距離を超えるかどうかを決定するためのコードと、
前記ロケーションの変化が前記しきい値距離未満であるという決定に基づいて、後続のスケジュールされたレンジング手順をバイパスするためのコードと
を備え、
前記レンジング手順が、レンジング手順要求を基地局へ送信するステップと、前記レンジング手順要求に応じたレンジング手順応答を受信するステップとを含む、コンピュータプログラム。
【請求項３９】
装置であって、
レンジング手順要求をモバイルデバイスから受信するように構成された受信機であって、前記レンジング手順要求がモバイルデバイスのロケーションの変化がしきい値距離を超えるという決定に基づいて送信される、受信機と、
受信機に通信可能に結合されたレンジング計算モジュールであって、レンジング測定値を計算するように構成される、レンジング計算モジュールと、
レンジング手順応答をモバイルデバイスへ送信するように構成された送信機であって、前記応答が、前記モバイルデバイスに関連付けられた前記計算されたレンジング測定値を含み、前記計算されたレンジング測定値が、後続のスケジュールされたレンジング手順をバイパスするかどうかを決定するためにモバイルデバイスによって使用される、送信機と
を備える、装置。
【請求項４０】
前記モバイルデバイスの前記ロケーションの変化が前記しきい値距離未満であるという前記モバイルデバイスによる決定、または前記モバイルデバイスの信号品質メトリックの変化がしきい値を超えるという前記モバイルデバイスによる決定に基づいて、前記レンジング手順要求が送信される、請求項39に記載の装置。
【請求項４１】
前記計算されたレンジング測定値が、タイミングオフセット測定値、送信電力測定値、および周波数オフセット測定値のうちの少なくとも1つを備える、請求項39に記載の装置。
【請求項４２】
レンジング手順要求をモバイルデバイスから受信するステップであって、前記レンジング手順要求がモバイルデバイスのロケーションの変化がしきい値距離を超えるという決定に基づいて送信される、ステップと、
レンジング測定値を計算するステップと、
レンジング手順応答をモバイルデバイスへ送信するステップであって、前記応答が前記モバイルデバイスに関連付けられた前記計算されたレンジング測定値を含み、前記計算されたレンジング測定値が、後続のスケジュールされたレンジング手順をバイパスするかどうかを決定するためにモバイルデバイスによって使用される、ステップと
を含む、方法。
【請求項４３】
前記モバイルデバイスの前記ロケーションの変化が前記しきい値距離未満であるという前記モバイルデバイスによる決定、または前記モバイルデバイスの信号品質メトリックの変化がしきい値を超えるという前記モバイルデバイスによる決定に基づいて、前記レンジング手順要求を受信するステップをさらに含む、請求項42に記載の方法。